(57)【要約】【課題】農業生産情報をシステムによって管理し、農家に低コストで必要な設備、機能を提供することができ、携帯端末等から農業生産情報を取得できるがセキュリティも確保することのできる農業生産情報管理システム等を提供する。【解決手段】農業生産情報を収集、蓄積、更新、データ処理する農業生産情報管理システムにおいて、農家において農業生産情報を管理する農家情報管理システムにおける農家データベース及び農家サーバ、及び、データセンタにおいて農業生産情報を管理するセンタ情報管理システムにおけるセンタデータベース及びセンタサーバを、農家において取得された農業生産情報が前記農家データベースに蓄えられ、農家サーバを介してセンタデータベースに蓄積され、任意の端末がセンタサーバにアクセスすることにより、センタデータベースにおいて農業生産情報の収集、蓄積、更新、データ処理が可能となるように設置する。【選択図】  図１
2005038019.tif 000002
【特許請求の範囲】
【請求項１】
農業における生産管理情報、作業情報、農業施設管理情報を含む農業生産情報を収集、蓄積、更新、データ処理する農業生産情報管理システムにおいて、
農家において農業生産情報を管理する農家情報管理システムにおける農家データベース及び農家サーバ、及び、データセンタにおいて農業生産情報を管理するセンタ情報管理システムにおけるセンタデータベース及びセンタサーバを、
農家において取得された農業生産情報が前記農家データベースに蓄えられ、前記農家サーバを介して前記センタデータベースに蓄積され、任意の端末が前記センタサーバにアクセスすることにより前記センタデータベースにおいて農業生産情報の収集、蓄積、更新、データ処理が可能となるように設置した
ことを特徴とする農業生産情報管理システム。
【請求項２】
前記センタ情報管理システムにおいて、前記センタサーバは、
センタ情報管理システムを制御する制御手段と、
センタ情報管理システムと農家情報管理システムとの間及びセンタ情報管理システムと他の農業情報管理システムとの間で行われる農業生産情報流通を制御する情報流通制御手段と、
農家情報管理システムからセンタ情報管理システムへのアクセス及び他の農業情報管理システムからセンタ情報管理システムへのアクセスを予め規定されている手順に従って制御する制御手段と、
農業生産情報データをアプリケーションソフトで処理するデータ処理手段とを有し、
前記センタデータベースは、農業生産情報を蓄積、管理する機能を有しており、農家毎に個々のデータを蓄積する農家生産情報蓄積領域と、複数の農家で共有するデータを蓄積する共有生産情報蓄積領域とで構成されており、
前記農家情報管理システムにおいて、前記農家サーバは、
農家データベースを制御する制御手段と、
センタ情報管理システムと他の農業情報管理システムとの間の農業生産情報流通を制御する情報流通制御手段と、
センタ情報管理システム及び他の農業情報管理システムからのアクセスを予め規定されている手順に従って制御するアクセス制御手段と、
農業データベースのデータを処理する生産情報処理手段とを有し、
前記農家データベースは、農家生産情報を蓄積、管理する機能を有し、センタ情報管理システム以外の農業情報管理システムからのアクセスを禁止するアクセス禁止領域と、センタ情報管理システム以外の農業情報管理システムからのアクセスを許可するアクセス許可領域とを有する
ことを特徴とする請求項１記載の農業生産情報管理システム。
【請求項３】
前記農家データベースを、前記センタ情報管理システムと直接アクセス可能となるように設置した
ことを特徴とする請求項１または２記載の農業生産情報管理システム。
【請求項４】
農業生産情報を検出する農業生産情報検出手段と、農業生産情報検出手段により検出された農業生産情報の、前記農家データベースへの転送を制御する農業生産情報転送制御手段とを設けた
ことを特徴とする請求項１乃至３何れか１項記載の農業生産情報管理システム。
【請求項５】
他の農業に関係するシステムと連結して、農業情報ネットワークを構築する
ことを特徴とする請求項１乃至４何れか１項記載の農業生産情報管理システム。
【請求項６】
農業における生産管理情報、作業情報、農業施設管理情報を含む農業生産情報を、収集、蓄積、更新、データ処理する農業生産情報管理方法において、
農家において取得された農業生産情報が、農家において農業生産情報を管理する農家情報管理システムにおける農家データベースに蓄えられ、農家情報管理システムの農家サーバを介して、データセンタにおいて農業生産情報を管理するセンタ情報管理システムにおけるセンタデータベースに蓄積され、任意の端末がセンタ情報管理システムのセンタサーバにアクセスすることにより前記センタデータベースにおいて農業生産情報の収集、蓄積、更新、データ処理を行う
ことを特徴とする農業生産情報管理方法。
【請求項７】
農家情報管理システムが、農家において取得された農業生産情報を取得し、該農業生産情報の判定、蓄積を行う工程と、
センタ情報管理システムが、農家情報管理システムに蓄積された農業生産情報を農家情報管理システムから取得し、該農業生産情報の判定、蓄積を行う工程と、
センタ情報管理システムが、任意の端末からの農業生産情報のモニタ要求に従ったユーザ認証を行い、該農業生産情報を該端末に転送する工程と
を含むことを特徴とする請求項６記載の農業生産情報管理方法。
【請求項８】
農家情報管理システムが、農家において取得された農業生産情報を取得し、該農業生産情報の判定、蓄積を行う工程と、
センタ情報管理システムが、農家情報管理システムに蓄積された農業生産情報を農家情報管理システムから取得し、該農業生産情報の判定を行い、判定結果に異常が検知された場合、予め規定された端末に異常を通知するとともに、該端末に異常を表示できる形式で表示用異常情報を作成する工程と、
センタ情報管理システムが、該端末からの表示用異常情報のモニタ要求に従ったユーザ認証を行い、該表示用異常情報を該端末に転送する工程とを含む
ことを特徴とする請求項６記載の農業生産情報管理方法。
【請求項９】
農家情報管理システムが、農家において取得された農業生産情報を取得し、該農業生産情報の判定を行い、判定結果に異常が検知された場合、センタ情報管理システム及び予め規定された端末に異常を通知するとともに、異常情報を作成し、センタ情報管理システムからの異常情報の転送要求に従って、該異常情報をセンタ情報管理システムに転送する工程と、
センタ情報管理システムが、前記異常情報を蓄積するとともに、端末に異常を表示できる形式で表示用異常情報を作成し、端末からの表示用異常情報のモニタ要求に従ってユーザ認証を行い、該表示用異常情報を該端末に転送する工程とを含む
ことを特徴とする請求項６記載の農業生産情報管理方法。
【請求項１０】
前記農家データベースと前記センタ情報管理システムは、直接にアクセスを行う
ことを特徴とする請求項６乃至９何れか１項記載の農業生産情報管理方法。
【請求項１１】
農業生産情報を検出する農業生産情報検出手段によって検出された農業生産情報を、農業生産情報の前記農家データベースへの転送を制御する農業生産情報転送制御手段に蓄積しておき、農家情報管理システムからの農業生産情報の転送要求に従って転送する
ことを特徴とする請求項６乃至１０何れか１項記載の農業生産情報管理方法。
【発明の詳細な説明】
【０００１】
【発明の属する技術分野】
本発明は、農業に関する生産情報の収集、蓄積、データ処理等を行う農業生産情報管理システム及び農業生産情報管理方法に関するものである。
【０００２】
【従来の技術】
従来、農業等の一次産業における生産現場での生産に関する農業生産情報は、一般に紙を媒体とした作業日誌や台帳等に手書きや印字等の方法で記録されてきた。また、圃場等の環境情報データや農業設備等の設備管理情報データ等は測定、記録もされていなかった。
【０００３】
しかしながら、携帯電話の多機能化に伴い、畑でリアルタイムに種まき、定植、除草、農薬散布等全ての記録を携帯電話に打ち込み、農作業日誌としてデータベースに保存するような方法も行われつつある（例えば、非特許文献１参照。）。
【０００４】
一方、一部の農業施設では、ＬＡＮを介して農家のサーバに接続された環境情報センサを圃場や作業場等に設置し、農業に必要な各種環境情報データや施設管理データ等をセンサにより収集し、目的に応じてサーバ内のアプリケーションソフトにより加工し、ユーザが操作する端末に結果を表示するようなシステムが導入されている。
【０００５】
【非特許文献１】
”農業情報化計画”、［ｏｎｌｉｎｅ］、十勝毎日新聞社デジタルメディア室、［平成１５年７月３日検索］、インターネット＜ＵＲＬ：ｈｔｔｐ：／／ｗｗｗ．ｔｏｋａｃｈｉ．ｃｏ．ｊｐ／ｋａｃｈｉ／０３ｎｏｕ／２−１．ｈｔｍｌ＞
【０００６】
【発明が解決しようとする課題】
従来のような紙を媒体とした作業日誌や台帳による生産管理では、農業生産情報を電子データ化してコンピュータ等の情報技術を適用した農業支援システム等を導入することが困難であった。また、農作業時に農業生産情報を閲覧する必要がある場合、紙を媒体とする作業日誌や台帳の保管場所へ移動する必要があり、広大かつ複数の飛び地となっている農場や牧場等の作業現場から移動することは容易ではなかった。さらに、農作業中に気付いたことも作業日誌や台帳等の保管場所に戻った時点で記録せざるを得ないため、記録する内容に誤りが生じたり、記録すること自体を忘れてしまい情報が記録されないことが生じたりした。また、農業関係者間で情報を供給しあう場合、それぞれが、元の台帳の紙を媒体とした複製を所持する必要があり、最新版を共有、維持することが困難であった。
【０００７】
ＬＡＮを介して農家のサーバに接続された環境情報センサを圃場や作業場に設置したシステムにあっても、農家毎に独立したシステムであり、かつ、農家が独自のフォーマットや、利用手順を使用しているため、農家の経済的負担が大きく、かつ、システムを効率よく運用管理することは困難であった。さらに、例えば、地域や業界等に設置されているイントラネット等を活用して地域や業界全体で利用できるシステムへ拡張することは困難であった。
【０００８】
また、近年、食の安心、安全情報を消費者等へ提供することが望まれてきているが、食品に関する生産履歴情報等を消費者等に提供するためには、生産に拘わる全ての農家、業者、団体の農業情報を連携する必要があり、地域や業界で統一したシステム構築が必須である。
【０００９】
本発明は前記問題点に鑑みてなされたものであり、その目的とするところは、農業生産情報をシステムによって管理し、それに伴い農家に低コストで必要な設備、機能を提供することができるだけでなく、携帯端末等により農業生産情報を取得でき、かつ、セキュリティを確保することのでき、地域や業界で統一したシステムを構築することのできる農業生産情報管理システム及び農業生産情報管理方法を提供することにある。
【００１０】
【課題を解決するための手段】
本発明は、農業における生産管理情報、作業情報、農業施設管理情報を含む農業生産情報を収集、蓄積、更新、データ処理する農業生産情報管理システムにおいて、農家において農業生産情報を管理する農家情報管理システムにおける農家データベース及び農家サーバ、及び、データセンタにおいて農業生産情報を管理するセンタ情報管理システムにおけるセンタデータベース及びセンタサーバを、農家において取得された農業生産情報が前記農家データベースに蓄えられ、前記農家サーバを介して前記センタデータベースに蓄積され、任意の端末が前記センタサーバにアクセスすることにより前記センタデータベースにおいて農業生産情報の収集、蓄積、更新、データ処理が可能となるように設置したことを特徴とする農業生産情報管理システムをもって解決手段とする。
【００１１】
これにより、農家への経済的負担を軽減して、低コストで農業生産情報を流通し、農家情報管理システムのセキュリティを確保しつつ、作業現場等の遠隔から携帯端末等によりリアルタイムで農家情報管理システムの農業生産情報を閲覧、修正、更新、新規登録ができる。他の農家や農業関係者は、農家の許可を得て認証を受けることにより、センタ情報管理システムから所定の情報を得ることができる。また、農業関連組織等が保有する農業生産情報は、センタ情報管理システムを介して農家情報管理システムに転送されることが可能となり、農家は自身の農家情報管理システムにアクセスすることで、その情報を得ることができる。以上のように、他の農家や農業関係者との間で円滑に農業生産情報を流通させ、情報の共有、更改等を行う。
【００１２】
また、本発明では、農家データベースを、センタ情報管理システムと直接アクセス可能となるように設置したことを特徴とする農業生産情報管理システムをもって解決手段とする。
【００１３】
これにより、必要最小限の機能を物理的に農家に設置することから、設備等の設置や保守、管理にかかる経済的負担を軽減することができる。
【００１４】
【発明の実施の形態】
図１乃至図８は本発明の農業生産情報管理システムの第１の実施形態を示すもので、図１は本発明の農業生産情報管理システムの全体構成図、図２はセンタ情報管理システムの機能構成図、図３は農家情報管理システムの機能構成図、図４は平常時の環境情報データの処理手順を示すシーケンス図、図５は異常をセンタ情報管理システムで判定する場合の環境情報データの処理手順を示すシーケンス図、図６は異常を農家情報管理システムで判定する場合の環境情報データの処理手順を示すシーケンス図、図７はアプリケーションの利用手順を示すシーケンス図、図８はデータベース共有の処理手順を示すシーケンス図である。
【００１５】
図１を基に、本発明の農業生産情報管理システムの全体構成について説明する。
【００１６】
この農業生産情報管理システム１０は、農業における生産情報、作業情報、農業施設管理情報等の農業生産情報を収集、蓄積、更新、データ処理を行うものであって、データセンタ２０ａが管理するセンタ情報管理システム２０と、複数戸の農家がそれぞれ管理する複数の農家情報管理システム３０−１〜３０−Ｎと、センタ情報管理システム２０と複数戸の農家情報管理システム３０とを接続する、農家ＬＡＮ等の情報通信網４０、公衆回線、専用線等の情報通信網５０及びインターネット網６０（以下、全てを総称して、単に情報通信網と呼ぶ場合がある）とで構成されている。また、農業関連組織等の農業関連組織情報管理システム７０が情報通信網５０を介して接続される場合もある。尚、図１において、３２−１−ｍという符号は、農家１における農場Ｍの農家データベースであることを示している。
【００１７】
センタ情報管理システム２０は、センタデータベース２１とセンタサーバ２２とで構成されている。農家情報管理システム３０は、農家サーバ３１と、作業場、圃場、農業施設等の農業生産情報を収集、蓄積、管理する農家データベース３２とで構成されており、情報通信網４０を介して接続され、農家サーバ３１により各農家データベース３２が管理されている。また、例えば、作業場、圃場、農業施設等が大規模な場合、あるいは、遠隔にある場合は、各作業場、圃場、農業施設等に農家サーバ３１と農家データベース３２とで構成される農家情報管理システム３０を設置することも可能である。
【００１８】
図１の農業生産情報管理システム３０では、一般向けに情報公開を行うことを目的に、センタ情報管理システム２０が、情報通信網５０とは独立したインターネット網６０のようなオープンな通信網を介して、農家のパソコン３７や一般利用者８０のパソコンと接続される。
【００１９】
以下では、説明を簡単にするために農家データベース３２が農家に配置されている論理的な構成について説明する。
【００２０】
図２を基に、センタ情報管理システム２０の機能構成について説明する。
【００２１】
センタサーバ２１は、センタ情報管理システム２０を制御する制御機能部２１ａと、センタ情報管理システム２０と農家情報管理システム３０との間及びセンタ情報管理システム２０と農業関連組織情報管理システム７０との間の農業生産情報流通を制御する情報流通制御機能２１ｂと、農家情報管理システム３０からセンタ情報管理システム２０へのアクセス及び農業関連組織情報管理システム７０からセンタ情報管理システム２０へのアクセスを予め規定されている手順に従って制御するアクセス制御機能２１ｃと、農家情報管理システム３０から転送されてくる圃場等の各種環境情報データの解析処理及び農家情報管理システム３０からの要求によりアプリケーションソフト２１ｄを用いてデータ処理を行うデータ処理機能２１ｅとを有している。アプリケーションソフト２１ｄによるデータ処理は、農家情報管理システム３０からの要求に応じ、農家データベース３２から情報通信網５０を介して転送されてくるデータを受信し、適したアプリケーションソフト２１ｄを用いて解析、分析等のデータ処理を行い、情報通信網５０を介して結果を該当する農家情報管理システム３０に転送する。
【００２２】
センタデータベース２２は、複数の農家の農業生産に関わる農業生産情報を蓄積、管理する機能を有しており、複数の農家で共有するデータを蓄積する共有生産情報蓄積領域２２ｂと、農家毎に個別にデータを蓄積する農家生産情報蓄積領域２２ｃとで構成されている。
【００２３】
センタ情報管理システム２０が、一般向けに情報公開を行うことを目的に情報通信網５０とは独立したインターネット網６０のようなオープンな通信網に接続されている場合は、農業生産に関わる農業生産情報を蓄積する機能とは独立して情報公開領域２２ａを所有するとともに、オープンな通信網に対するセキュリティを確保するセキュリティ制御機能部２３を所有する。
【００２４】
図３を基に、農家情報管理システム３０の機能構成について説明する。
【００２５】
農家サーバ３１は、農家毎に作業場、圃場、農業施設等にそれぞれ所有する複数の農家データベース３２を制御する制御機能部３１ａと、センタ情報管理システム及び農業関連組織情報管理システム７０からのアクセスを予め規定されている手順に従って制御するアクセス制御機能部３１ｂと、センタ情報管理システム２０及び農業関連組織情報管理システム７０との農業生産情報流通を制御する情報流通制御機能３１部ｃと、農家情報管理システム３０固有のデータ処理を行う生産情報処理機能部３１ｄとを有している。
【００２６】
農家データベース３２は、農業生産情報を蓄積、管理する機能を有しており、センタ情報管理システム２０等の他の情報管理システムからのアクセスを許可するアクセス許可領域３２ａと、センタ情報管理システム２０等の他の情報管理システムからのアクセスを禁止するアクセス禁止領域３２ｂとで構成されている。
【００２７】
農家情報管理システム３０には、環境情報コントローラ３３及びセンシングネットワーク３４を介して圃場内の任意の場所、あるいは、農業施設内の任意の場所に環境情報センサ３６が配置されている。環境情報コントローラ３３は、予め規定された時間間隔、処理方法で環境情報センサ３６のデータを生産情報データとして収集し、農家データベース３２に蓄積する。また、作業記録等を閲覧、修正、更新、新規登録するデータ入出力端末３５が接続されている。
【００２８】
農家データベース３２に蓄積されている農業生産情報は、例えば、農業の生産に関わる情報が収集、記録、蓄積されている電子台帳、日々の農作業の内容等が記入、記録、蓄積されている電子作業日誌、作業中に記録しておいたメモ、スケジュール表、関連する農家との情報交換を行う掲示板等が該当する。これらの農業生産情報は、他の農家等に知られたくない農家固有のノウハウを含んだ農作業の効率化や品質向上に必要な生産情報、品質管理監督者だけに公開したい安全衛生管理に必要な生産情報、リアルタイムに関連する作業者だけに知らせたい生産情報等があり、情報の属性に応じてアクセス許可領域３２ａ、あるいは、アクセス禁止領域３２ｂに収集、蓄積される。
【００２９】
図４のシーケンス図を参照し、本発明の農業生産情報管理システムによる平常時の圃場等の環境情報の処理手順について説明する。
【００３０】
前述のように、環境情報コントローラ３３は、予め規定された時間間隔、処理方法で環境情報センサ３６のデータを生産情報データとして収集し、蓄積しており、農家データベース３２からの蓄積データ転送要求に従って、蓄積したデータを農家情報管理システム３０に転送する。農家情報管理システム３０は、生産情報処理機能部３１ｄにより規定されたデータ処理、判定を行う。判定結果が良好であれば、データの属性に応じて予め規定されている農業データベース３２のアクセス許可領域３２ａ、あるいは、アクセス禁止領域３２ｂのいずれか、あるいは、両者にデータを蓄積する。上記処理を繰り返した後、センタ情報管理システム２０からの蓄積データ転送要求に従い、農家データベース３２に蓄積したデータをセンタ情報管理システム２０に転送する。
【００３１】
センタ情報管理システム２０は、データ処理機能部２１ｅにより規定されたデータ処理、判定を行い、判定結果が良好であれば、データの属性に応じて予め規定されているセンタデータベース２２の共有生産情報蓄積領域２２ｂ、あるいは、農家生産情報蓄積領域２２ｃのいずれか、あるいは、両者にデータを蓄積する。これらのデータは、農家データベース３１を所有している農家、あるいは、該農家の農作業従事者が所有する携帯端末、あるいは、固定端末からの蓄積データモニタ要請を受け、ユーザ認証を行った後、携帯端末、固定端末で表示することのできる形式に加工された表示用蓄積データを転送する。
【００３２】
図５のシーケンス図を参照して、本発明の農業生産情報管理システムにおいて、環境情報センサ３６により収集した圃場環境データに、センタ情報管理システム２０で異常を検知した場合の圃場等の環境情報の処理手順を示す。センタ情報管理システム２０における収集データ判定までの手順は図４の場合と同様であるので省略する。
【００３３】
センタ情報管理システム２０におけるデータ処理機能部２１ｅにより規定されたデータ処理、判定を行い、判定結果に異常が検知された場合、該当する農家情報管理システムを所有している農家、あるいは、該農家の農作業従事者が所有する、予め規定された携帯端末、あるいは、固定端末に異常を通知するとともに、予め規定された手順に従って携帯端末、あるいは、固定端末に異常を表示できる形式で表示用異常データを作成する。農家データベース３２を所有している農家、あるいは、該農家の農作業従事者が所有する携帯端末、あるいは、固定端末からの異常データモニタ要請を受け、ユーザ認証を行った後、携帯端末、固定端末に表示用異常データを転送する。
【００３４】
図６のシーケンス図を参照して、本発明の農業生産情報管理システムにおける環境情報センサ３６により収集した圃場環境データに、農家情報管理システム３０で異常を検知した場合の圃場等の環境情報の処理手順について説明する。農家情報管理システム３０における収集データ判定までの手順は図４と同様であるため省略する。
【００３５】
農家情報管理システム３０における生産情報処理機能部３１ｄにより規定されたデータ処理、判定を行い、判定結果に異常が検知された場合、該当する農家情報管理システム３０を所有している農家、あるいは、該農家の農作業従事者が所有する、予め規定された携帯端末、あるいは、固定端末に異常を通知するとともに、センタ情報管理システム２０に異常を通知し、異常を示すデータを作成する。センタ情報管理システム２０からの異常データ転送要求に従い、異常データをセンタ情報管理システム２０に転送する。
【００３６】
センタ情報管理システム２０は、農家情報管理システム３０から転送された異常データを、予め規定されている共有生産情報蓄積領域２２ｂ、あるいは、農家生産情報蓄積領域２２ｃの何れか、あるいは、両者にデータを蓄積するとともに、予め規定された手順に従って携帯電話、あるいは、固定電話に異常を表示できる形式で表示用異常データを作成する。農家データベース３２を所有している農家、あるいは、該農家の農作業従事者が所有する携帯端末、あるいは、固定端末からの異常モニタ要請を受け、ユーザ認証を行った後、携帯端末、固定端末に表示用異常データを転送する。
【００３７】
本発明では、農家での経済的負担を軽減する観点から、基本的には異常に対する判定処理をセンタ情報管理システム２０で行い、農家サーバ３１とセンタ情報管理システム２０との間の情報通信網５０の遮断が発生した場合でも、即座に対応する必要があるような重要度が高く緊急に異常に対処することが必要な環境情報データの判定処理だけを、農家情報管理システム３０が行うことを想定している。ただし、確実に異常を通知する観点から、両者で同一のデータ異常判定を行ってもよい。
【００３８】
また、図６の農家情報管理システム３０で異常を検知した場合について、本発明では、農家情報管理システム３０が携帯端末、固定端末に異常を通知しているが、農家情報管理システム３０のコスト低減の観点から、農家データベース３２はセンタデータベース２２に異常を通知するだけとし、携帯端末、固定端末への異常通知はセンタデータベース２２が行ってもよい。
【００３９】
さらに、図４では、環境情報センサ３６を用いて圃場環境データを収集する手順を示したが、データ入出力端末３５を用いて随時任意の場所の圃場環境データを農家情報管理システム３０に収集し蓄積することも可能であり、本方法で収集された圃場環境データも農家情報管理システム３０で判定処理することが可能である。データ入出力端末３５を用い、農家ＬＡＮ４０を介して農家データベース３２に蓄積されている農業生産情報を直接モニタすることも可能である。
【００４０】
異常通知を受けた端末の表示は、センタ情報管理システム２０のデータ処理機能部２１ｅ、あるいは、農家情報管理システム３０の生産情報処理機能部３１ｄが判定した内容を特定できるように予め規定されており、通知を受けた農家、あるいは、該農家の農作業従事者は、端末の表示により通知内容を知ることができる。この時、農家情報管理システム３０の生産情報処理機能部３１ｄに、異常と判定されたデータの原因となる設備や機器を適切に遠隔操作する機能を持たせ、異常通知を受けた携帯端末、あるいは、固定端末から情報通信網５０を介してセンタ情報管理システム２０経由で、農家情報管理システム３０の生産情報処理機能部３１ｄにアクセスし、通知内容に対応した処理を行うように遠隔で操作することも可能である。
【００４１】
また、農家情報管理システム３０に、携帯端末、あるいは、固定端末と直接通信する機能を持たせ、情報通信網５０を介してセンタ情報管理システム２０を経由して農家情報管理システム３０にアクセスせずに遠隔制御することも可能である。さらに、遠隔で制御する設備や機器に直接、通信機能を持たせ、情報通信網５０を介して直接、機器を遠隔制御してもよい。
【００４２】
図７のシーケンス図を参照し、センタ情報管理システム２０におけるアプリケーションソフト２１ｄで処理したい農業生産情報データが、農業情報管理システム３０に蓄積されている場合を想定した、アプリケーションソフト２１ｄの利用手順について説明する。
【００４３】
農家情報管理システム３０は必要なデータ処理をセンタ情報管理システム２０に要求するとともに、アプリケーションソフト２１ｄで処理する農業生産情報データを、センタ情報管理システム２０に転送する。センタ情報管理システム２０は、農家情報管理システム３０からのアプリケーションソフト２１ｄ利用の要求を受け、アプリケーションソフト２１ｄによるデータ処理に他の農家、あるいは、農業関連組織情報管理システム７０が所有する農業生産情報も必要な場合、それぞれにデータ転送を要求し、必要な農業生産情報データを転送してもらう。その後、アプリケーションソフト２１ｄによりデータ処理を行い、結果を要求元の農家情報管理システム３０に転送する。また、これらのデータは、要求元の農家データベース３２を所有している農家、あるいは、該農家の農作業従事者の所有する携帯端末、あるいは、固定端末からの処理結果の転送要求を受け、ユーザ認証を行った後、携帯端末、固定端末で表示することのできる形式に加工された処理結果を転送する。
【００４４】
図８のシーケンス図を参照して、農家と他の農家や農業関連者との間で、農家情報管理システム３０における農家データベース３２を共有する場合の利用手順について説明する。
【００４５】
本発明では、農家での経済的負担を軽減する観点から、センタ情報管理システム２０でほとんどの各種処理を行い、農家情報管理システム３０では必要最小限の処理のみを行うことを基本としている。農家と農業関係者とのデータベース共有においても、原本となる情報はセンタ情報管理システム３０のセンタデータベース２２に保管し、農家情報管理システム３０に原本の写しを蓄積し、その農業生産情報を使って要求される各種データを処理している。
【００４６】
図８において、（１）の農家情報管理システム３０のデータ更新では、規定された時間間隔に従ってセンタ情報管理システムの情報で更改された部分を、農家情報管理システム３０に転送し、原本となる情報を更改する。
【００４７】
（２）では、農家が作業現場等から遠隔でセンタデータベース２２の農業生産情報にアクセスし、データを閲覧、修正、更新、新規書き込みを行う手順を示している。センタ情報管理システム２０は、農家データベース３２を所有している農家、あるいは、該農家の農作業従事者が所有する携帯端末、あるいは、固定端末からデータ閲覧、修正、更新、新規書き込み要求を受け、ユーザ認証を行った後、要求されているデータ処理を行い、携帯端末、固定端末で表示することのできる形式に加工された結果データを転送する。
【００４８】
（３）では、他の農家や農業関係者が作業現場等から遠隔でセンタデータベース２２の農業生産情報にアクセスし、データ閲覧、修正、更新、新規書き込みを行う手順を示している。センタ情報管理システム２０は、農家データベース３２の所有者と異なる、予め登録してある他の農家、あるいは、農業関係者が所有する携帯端末、あるいは、固定端末からデータ閲覧、修正、更新、新規書き込み要求を受け、ユーザ認証を行った後、要求されているデータ処理を行い、携帯端末、固定端末で表示することのできる形式に加工された結果データを転送する。
【００４９】
（４）では、農家が作業現場等から遠隔で他の農家、あるいは、農業関係者にセンターデータベース２２の農業生産情報の転送を要求する手順を示している。センタ情報管理システム２０は、農家データベース３２を所有している農家、あるいは、該農家の農作業従事者が所有する携帯端末、あるいは、固定端末から通知要求を受け、ユーザ認証を行った後、要求されているデータ処理を行い、携帯端末、固定端末で表示することのできる形式に加工された結果データを指定された他の農家、あるいは、農業関係者の携帯端末、あるいは、固定端末に転送する。
【００５０】
（５）では、遠隔で他の農家、あるいは、農業関係者が作業現場等から農家にセンターデータベース２２の農業生産情報の転送を要求する手順を示している。センタ情報管理システム２０は、農家データベース３２の所有者と異なる予め登録してある他の農家、あるいは、農業関係者が所有する携帯端末、あるいは、固定端末から通知要求を受け、ユーザ認証を行った後、要求されているデータ処理を行い、携帯端末、固定端末で表示することのできる形式に加工された結果データを、農家データベース３２を所有している農家、あるいは、農家の農作業従事者等が所有する携帯端末に転送する。
【００５１】
以上説明したように、農家情報管理システム３０とセンタ情報管理システム２０とで生産情報の収集、蓄積、処理の運用に対応して分担することが可能となり、農家には低コストでかつ必要な設備、機能を提供することができる。また、基本的にはセンタ情報管理システム２０に外部からのアクセスが集中するため、センタ情報管理システム２０だけに高度なセキュリティ機能を持たせることで、農家情報管理システム３０はセキュリティを確保できる。センタ情報管理システム２０は、複数の農家で共用するために機能を高くしても、センタ情報管理システム２０のみで保守、運用を一括して行うので、農家の数の増大によるコストの増大を避けることができる。また、アプリケーションやミドルウェア等のバージョンアップも一度で済ませることができ、メンテナンスコストも下げることができる。
【００５２】
センタサーバ２１、センタデータベース２２、農家サーバ３１、農家データベース３２の各機能は、基本的にはコンピュータに搭載され、各機能が情報通信網を介して接続され、必要な制御情報、農業生産情報等の各種情報を流通させている。情報通信網は、各機能が個別にコンピュータに搭載される場合は、コンピュータ間を接続する公衆網、専用線、ＩＰネットワーク、ＬＡＮ、ＷＡＮ等で構築されている。複数の機能が１台のコンピュータに搭載される場合は、コンピュータ内の内部バス、外部バス等で構築される。特に、センタ情報管理システム２０と農家情報管理システム３０と農業関連組織情報管理システム７０とを接続する情報通信網５０に関しては、ダイヤルアップ等の公衆回線を用いる場合、データ転送時以外は農場内サーバは外部と遮断され、セキュリティが確保される。また、ＡＤＳＬ等を用いた常時接続回線の場合、ＶＰＮサービス等のネットワークサービスの利用や、ＩＰｓｅｃ、ファイヤウォール等のセキュリティを確保する機能を各コンピュータに所有させることにより、セキュリティを確保する。農家情報管理システム３０を構成する農家サーバ３１、環境情報コントローラ３３、環境情報センサ３６、データ入出力端末３５を接続する情報通信網４０に関しては、農家内のネットワーク機器を接続する農家ＬＡＮで接続してもよいし、公衆網を介して接続してもよい。また、農家データベース３２を物理的にデータセンタ２０ａに設置することも考えられるが、場合によっては物理的に農家に設置し、農家サーバ３１と農家データベース３２とを農家内のネットワーク機器を接続するＬＡＮで接続してもよいし、公衆網を介して接続してもよい。センタ情報管理システム２０にｗｗｗサーバ機能を付加することにより、ブラウザ機能を有する既存のパソコン、携帯端末等を用いて、農作業従事者は農業生産情報に容易にアクセスできる。  続いて、酪農を取り上げて本発明の具体例について説明する。
【００５３】
図９乃至図１５は本発明の農業生産情報管理システムの第２の実施形態を示すもので、図９は本発明の農業生産情報管理システムの酪農への適用例を示す図、図１０は個体情報管理の処理例を示す図、図１１は携帯電話による個体情報管理の一例を示す図、図１２はバルククーラ監視の実施例を示す図、図１３乃至図１５は本発明の農業情報管理システムの利用形態の一例である。尚、第１の実施形態と同等の構成部分には同一の符号を付して示す。
【００５４】
図９を参照して、酪農における本発明の構成の実施例について説明する。
【００５５】
農家情報管理システム３０に収集、蓄積する酪農生産情報として、個々の乳牛の戸籍、飼養管理情報と分娩室のモニタ情報等の個体管理情報、牛舎、ミルクパーラやバルククーラ等の農業施設管理情報、作業日報、予定表、メモ、掲示板等の生産管理情報、農業関連組織から転送されてくる各種情報が想定される。情報通信網を介してセンタ情報管理システム２０との間での情報流通により、センタ情報管理システム２０にも同様の酪農生産情報を蓄積している。センタ情報管理システム２０に蓄積、管理されているこれらの情報は、遠隔で酪農家や酪農関係者により、閲覧、修正、更新、新規登録がなされる（個体情報管理）。また、例えば、農家情報管理システム３０がミルクパーラやバルクパーラ等の施設の状態を各種環境情報センサ３６で測定し、定められた衛生管理規定を逸脱した場合は酪農家に通知する。さらに、農家情報管理システム３０に遠隔操作の指示を受けて該当する施設を制御する機能を持たせることにより、酪農家は通知情報を得た後、定められた手順で動作するようにミルクパーラやバルククーラを遠隔で操作することも可能である（農家施設管理）。
【００５６】
図１０を参照して、個体情報管理の具体的な実施例について説明する。また、図１１には、携帯電話１０２を用いた場合の情報閲覧の画像例を示している。
【００５７】
センタ情報管理システム２０は、ｗｗｗサーバ機能を付加することによって、容易に情報閲覧用のホームページにアクセスすることができる。所定のＵＲＬにアクセスすると、ユーザの認証を求められる。ユーザＩＤとパスワードにより認証を行うと、情報閲覧のトップページが表示される。トップページには、各情報へアクセスの項目として、「個体情報（電子台帳）」、「乳検データ」、「スケジュールメモ」が用意されている。また、個体情報管理の項目だけでなく、一例として、「牛舎内温湿度」等の農家施設情報も閲覧可能である。尚、携帯端末では、現場での利用を想定して、必要な情報だけに閲覧情報を限定している。パソコン等の固定端末では、図１１に示す情報よりも詳細な個体情報を閲覧できる。
【００５８】
「個体情報（電子台帳）」では、乳牛の名前、ニックネーム、各機関への登録番号、斑紋の写真等からなる個体情報を管理している。必要により、各機関の登録番号でこの情報を検索できる。「乳検データ」では、乳牛検査協会による乳の成分、乳量等の検査結果を管理しており、検査結果に合わせて、「牛群乳検データ」、「乳牛乳検データ」の２種類に分かれている。「スケジュールメモ」では、授精師や獣医等の農業関係者間でのスケジュールや連絡事項、及び、作業現場で気付いたこと等を、その場で携帯電話等の端末で記録、管理する。例えば、乳牛毎に授精師への連絡事項や抗生物質の投与予定を記録、閲覧したり、作業現場での乳牛の異常に気付いた時にその場で記録するとともに、酪農家、授精師、獣医間で、それらの情報を共有する。また、情報を通知する時間を指定することにより、例えば、トップメニューの「スケジュールメモ」に指定された時間に、斜字体等で情報を強調表示することも可能である。「農家施設情報」では、例えば、環境情報センサ３６である温湿度センサを牛舎に設置し、その牛舎内の温湿度をリアルタイムに閲覧することができる。
【００５９】
尚、図１１では、農家施設情報として牛舎内温湿度を表示しているが、図１２で説明するバルククーラ３７等の情報を管理することも可能である。
【００６０】
図１２を参照して、環境情報センサ３６でデータを収集する酪農における具体例として、生乳の温度データを計測、保管、閲覧するシステムについて説明する。
【００６１】
生乳を保管するバルククーラ３７に、環境情報センサ３６として温度センサ３３６ａ、動作監視センサ３６ｂを設置する。温度センサ３６ａでバルククーラ３７の温度を収集し、情報通信網８０を通じて農家データベース３２にデータを蓄積する。動作監視センサ３６ｂは、バルククーラ３７に設置した機器（攪拌機、集乳ポンプ、排出ポンプ）の動作を計測し、その結果を蓄積する。
【００６２】
農家サーバ３１は、それぞれの環境情報センサ３６から送られ農家データベース３２に収集されるデータを統合し、環境情報センサ３６が時間記述できない場合は、計測時間情報を付加し、センタ情報管理システム３０に送信する。センタ情報管理システム２０は、その情報を蓄積、管理する一方で、そのデータが予め定められた安全基準の範囲を逸した場合は、警告として、携帯電話１０１に通知する。電子メールは、送る時間が約束されていないため、緊急通報としては携帯電話１０１への発信を利用する。
【００６３】
また、センタ情報管理システム２０は、携帯電話１０１やパソコン１０２等の固定端末に異常を示すデータを転送する。ここでは、環境情報として生乳を保管するバルククーラ３７の保管温度データ、動作監視データを例にしたが、例えば、牛舎内の温湿度を環境情報として管理することも可能である。
【００６４】
また、牛に無線タグ等の個体を識別するセンサを付け、動作をモニタするとともに、例えば、飼料の量や牛の健康状態等のデータも収集することにより、精密な牛の飼養管理が可能となる。
【００６５】
さらに、図１及び図３に示すデータ入出力端末３５として、テレビカメラとマイクを、例えば、分娩室に設置し、パソコン１０２等のデータ出力端末を作業場等に設置し、農家ＬＡＮを介して両者を接続することにより、画像データ、音声データを用いた分娩の遠隔モニタが可能となる。この場合、獣医と画像データ、音声データをリアルタイムに共有する必要があれば、センタ情報管理システム２０を介して、リアルタイムに共有が可能である。
【００６６】
アプリケーションソフト２１ｄの利用例として、農家経営分析と経営指針を得る場合について説明する。
【００６７】
農家経営に関する農業生産情報は、一般に公開できない情報であり、農家データベース３２のアクセス禁止領域３２ｂに蓄積されている。農家情報管理システム２０は、農家データベース３２のアクセス禁止領域３２ｂに蓄積している経営に関する農業生産情報データ等を、情報通信網８０を介してセンタ情報管理システム２０に転送し、経営分析と経営指針提供等のアプリケーションソフト２１ｄを用いた処理を要求する。センタ情報管理システム２０は、要求に該当するアプリケーションソフト２１ｄでデータ処理を行い、情報通信網８０を介して処理結果を農家データベース３２の生産情報蓄積領域のアクセス禁止領域３２ｂに転送する。
【００６８】
図１３は本発明の利用形態の一例を示している。ここでは、農家情報管理システム３０を構成する農家サーバ３１は物理的に農家に設置され、農家データベース３２は物理的にデータセンタ２０ａに設置されている。データセンタ２０ａには、複数の農家データベース３２が集中して設置されているため、農家データベース３２の保守や運用がデータセンタ２０ａで一括して可能となり、農家の経済的負担が軽くなる。また、データセンタ２０ａは、農家データベース３２のハウジングサービス等を提供することが可能である。
【００６９】
図１４は本発明の利用形態のもう一つの例を示している。任意の地域、あるいは、特定の農作物を生産している農家が集まって農家群を構成しており、その農家群に属する農家の農家データベース３２が農家群データベースセンタ３２ａに物理的に設置され、各農家の農家サーバ３１と農家群データベースセンタ３２ａとが情報通信網８０を介して接続され、農業生産情報の流通が行われている。同様の農家群が複数存在し、農家群毎に農家群データベースセンタ３２ａが構築され、各群に属する農家の農家データベース３２が、それぞれの属する農家群データベースセンタ３２ａに物理的に設置されている。データセンタ２０ａにはセンタ情報管理システム２０が設置され、情報通信網８０を介して複数の農家群データベースセンタ３２ａと接続され、各農家群データベースセンタ３２ａの農家データベース３２と農業生産情報の流通が行われている。
【００７０】
このような構成をとることにより、農家群毎に独立して農家データベース３２を管理でき、かつ、データセンタ２０ａのセンタ情報管理システム２０のリソースを、より多くの農家で利用でき、農家のコストを低減できる。また、農家データベース３２が管理されている農家群データベースセンタ３２ａと、センタ情報管理システム２０とは分散しているため、センタ情報管理システム２０の運用と農家群データベースセンタ３２ａの運用とは独立で行うことができ、それぞれがハウジング、ホスティング、ＡＳＰ等のサービスを提供できる。
【００７１】
図１５も本発明の利用形態の一例を示している。図１４においては、農家群、農家情報管理システム３０を所有するデータセンタ２０ａ、農家群の農家データベース３２を管理している農家群データベースセンタ３２ａが同一の情報通信網８０に接続されている。データセンタ２０ａ、農家群データベースセンタ３２ａが複数存在し、それぞれが特徴のあるサービスを提供する場合、データセンタ２０ａ、農家群データベースセンタ３２ａの特徴に合わせて農家はサービス毎に所望のデータセンタ２０ａ、農家データベースセンタ３２ａを利用することが可能になる。また、データセンタ２０ａ、農家群データベースセンタ３２ａは、ＷＥＢサービスの提供が可能となる。農家群データベースセンタ３２ａがハウジング、ホスティング、また、データセンタ２０ａがＡＳＰ等のサービスを提供できる。
【００７２】
本発明を農業に関連する多数の組織の情報管理システムと接続した拡張システムの一例として、図１６に農業情報化ネットワーク３００と農業生産情報の活用例を示す。
【００７３】
本発明のセンタ情報管理システム２０は、公衆網、専用線網、閉域ＩＰ網等の情報通信網により、農業に関連する多数の組織のデータベースと接続されている。農家情報管理システム３０からセンタ情報管理システム２０に圃場、飼養情報等の農業生産情報が転送され蓄積される。センタ情報管理システム２０は、データ処理機能部２１ｅが管理するアプリケーションソフト２１ｄでは対応できないデータ処理が必要な場合、あるいは、農業に関連する他組織のデータ処理機能やデータが必要な場合に、農業関連団体３０１、農業試験場・獣医３０２、加工・流通業者３０３、スーパー／小売店３０４、消費者３０５がそれぞれ管理するデータベースにアクセスし、農家情報管理システム３０から送られてくる圃場・飼養情報等の農業生産情報を適切なデータに加工処理して転送するとともに、農業関連団体３０１、農業試験場・獣医３０２、加工・流通業者３０２、スーパー／小売店３０４、消費者３０５がそれぞれ管理するデータベースから送られてくる各種情報を、例えば、営農支援情報に加工して該当する農家情報管理システム３０に転送する。
【００７４】
農作物の出荷等を扱う農業関連団体３０１との間では、作付け情報が農業関連団体データベース３０６から送られることにより、その情報をもとに農業関連団体３０１は効率のよい出荷計画を立てることが可能となる。また、農業関連団体３０１からは、出荷情報がセンタ情報管理システム３０を介して農家データベース３２に送られ、農家データベース３２では経営情報として蓄積する。
【００７５】
同様に、農業試験場・獣医３０２が管理する専門データベース３０７との間では、専門的な知識が必要な疑問が送られ、その回答がセンタ情報管理システム２０を介して農家データベース３２に転送される。
【００７６】
加工・流通業者３０３との間では、品質情報等が加工・流通データベース３０８から送られ、加工流通業者からは作物等の加工・流通情報がセンタ情報管理システム２０を介して農家情報管理システム３０に送られる。
【００７７】
スーパー／小売業者３０４との間では、出荷情報が小売りデータベース３０９から転送され、販売価格や売れ行き等の販売情報が、センタ情報管理システム２０を介して農家情報管理システム３０に送られる。
【００７８】
消費者との間では、品質情報が消費データベース３１０から転送され、作物等の評価情報がセンタ情報管理システム２０を介して、農家情報管理システム３０に送られる。
【００７９】
尚、ここでは農業を例にとって説明したが、本発明は水産業等の一次産業全てに適用できることは明らかである。
【００８０】
【発明の効果】
以上説明したように、農家には低コストで、かつ、必要な設備、機能を提供することができる。また、基本的にセンタ情報管理システムに外部からのアクセスが集中するため、センタ情報管理システムだけに高度なセキュリティ機能を持たせることで、農家情報管理システムはセキュリティを確保できる。センタ情報管理システムは、複数の農家で共用するために機能を高くしても、数によるコストの増大を避けることができる。また、アプリケーションやミドルウェア等のバージョンアップも一度で済ませることができ、メンテナンスコストも下げることができる。
【００８１】
さらには、情報公開の場合において、外部からアクセスするのはセンタデータベースであり、各農家情報管理システムに外部からアクセスされることは無く、セキュリティ性が向上する。また、アクセス権を設定すれば、関係者間で情報の共有が可能となる。
【図面の簡単な説明】
【図１】本発明の第１の実施形態を示す農業生産情報管理システムの全体構成図
【図２】センタ情報管理システムの機能構成図
【図３】農家情報管理システムの機能構成図
【図４】平常時の環境情報データの処理手順を示すシーケンス図
【図５】異常をセンタ情報管理システムで判定する場合の環境情報データの処理手順を示すシーケンス図
【図６】異常を農家情報管理システムで判定する場合の環境情報データの処理手順を示すシーケンス図
【図７】アプリケーションの利用手順を示すシーケンス図
【図８】データベース共有の処理手順を示すシーケンス図
【図９】本発明の農業生産情報管理システムの酪農への適用例を示す図
【図１０】個体情報管理の処理例を示す図
【図１１】携帯電話による個体情報管理の一例を示す図
【図１２】バルククーラ監視の実施例を示す図
【図１３】本発明の農業情報管理システムの利用形態の一例を示す図
【図１４】本発明の農業情報管理システムの利用形態の一例を示す図
【図１５】本発明の農業情報管理システムの利用形態の一例を示す図
【図１６】農業情報化ネットワーク３００と農業生産情報の活用例を示す図
【符号の説明】
１０…農業生産情報管理システム、２０…センタ情報管理システム、２１ａ…データセンタ、２１…センタサーバ、２１ａ…制御機能部、２１ｂ…情報流通制御機能部、２１ｃ…アクセス制御機能部、２１ｄ…アプリケーションソフト、２１ｅ…データ処理機能部、２２…センタデータベース、２２ａ…情報公開領域、２２ｂ…共有生産情報蓄積領域、２２ｃ…農家生産情報蓄積領域、３０…農家情報管理システム、３１…農家サーバ、３１ａ…制御機能部、３１ｂ…アクセス制御機能部、３１ｃ…情報流通制御機能部、…３１ｄ…生産情報処理機能部、３２…農家データベース、３２ａ…アクセス許可領域、３２ｂ…アクセス禁止領域、３３…環境情報コントローラ、３５…データ入出力端末、３６…環境情報センサ、３６ａ…温度センサ、３６ｂ…動作監視センサ、７０…農業関連組織情報管理システム、３００…農業情報化ネットワーク、３０１…農業関連団体、３０２…農業試験場・獣医、３０３…加工・流通業者、３０４…スーパー／小売店、３０５…消費者、３０６…農業関連団体データベース、３０７…専門データベース、３０８…加工・流通データベース、３０９…小売りデータベース、３１０…消費データベース。
【図１】
2005038019.tif 000003
【図２】
2005038019.tif 000004
【図３】
2005038019.tif 000005
【図４】
2005038019.tif 000006
【図５】
2005038019.tif 000007
【図６】
2005038019.tif 000008
【図７】
2005038019.tif 000009
【図８】
2005038019.tif 000010
【図９】
2005038019.tif 000011
【図１０】
2005038019.tif 000012
【図１１】
2005038019.tif 000013
【図１２】
2005038019.tif 000014
【図１３】
2005038019.tif 000015
【図１４】
2005038019.tif 000016
【図１５】
2005038019.tif 000017
【図１６】
2005038019.tif 000018